【手続補正書】
【提出日】平成30年1月11日(2018.1.11)
【手続補正１】
【補正対象書類名】特許請求の範囲
【補正対象項目名】全文
【補正方法】変更
【補正の内容】
【特許請求の範囲】
【請求項１】
初期化モジュール、充電制御モジュール、駆動モジュール、発光素子を備える発光モジュールを含む画素回路であって、
前記駆動モジュールの制御端は第1のノードに接続され、入力端は第2のノードに接続され、出力端は前記発光モジュールの入力端に接続され、前記充電制御モジュールの制御端はスキャン信号端に接続され、入力端はデータ信号端に接続され、出力端は第3のノードに接続され、前記初期化モジュールは前記第1のノード、前記第2のノード、前記第3のノード、第1のリファレンス信号端、第1の信号制御端及び前記スキャン信号端に接続され、前記発光モジュールの第1の制御端は第2の信号制御端に接続され、第2の制御端は発光信号制御端に接続され、出力端は第2のリファレンス信号端に接続され、
初期化段階において、前記初期化モジュールは前記スキャン信号端の制御によって前記第1のノードを初期化し、前記充電制御モジュールは前記スキャン信号端の制御によって前記第3のノードを初期化し、
補償段階において、前記発光モジュールは前記第2の信号制御端の制御によって前記駆動モジュールの出力端と前記第2のリファレンス信号端とを導通し、前記初期化モジュールは前記第1の信号制御端及び前記スキャン信号端の制御によって前記第1のノードに前記駆動モジュールのしきい電圧補償を行い、
且つ、データ書込み段階において、前記充電制御モジュールは、前記スキャン信号端の制御によって、前記初期化モジュールにより前記第1のノードに対してデータ書込みを行うことを特徴とする画素回路。
【請求項２】
発光段階において、前記初期化モジュールは、前記第1の信号制御端の制御によって前記第1のリファレンス信号端と前記駆動モジュールの入力端とを導通することにより、前記駆動モジュールに前記発光モジュールにおける発光素子の発光を駆動させる請求項1に記載の画素回路。
【請求項３】
前記駆動モジュールは、ゲートが前記第1のノードに接続され、ソースが前記第2のノードに接続され、ドレインが前記発光モジュールの入力端に接続される駆動トランジスタを含む請求項1に記載の画素回路。
【請求項４】
前記初期化モジュールは、
ゲートが前記スキャン信号端に接続され、ソースが前記第1のリファレンス信号端に接続され、ドレインが前記第1のノードに接続される第1のスイッチングトランジスタと、
ゲートが前記第1の信号制御端に接続され、ソースが前記第1のリファレンス信号端に接続され、ドレインが前記第2のノードに接続される第2のスイッチングトランジスタと、
前記第1のノードと前記第3のノードとの間に接続される蓄積容量とを含む請求項3に記載の画素回路。
【請求項５】
前記充電制御モジュールは、ゲートが前記スキャン信号端に接続され、ソースが前記データ信号端に接続され、ドレインが前記第3のノードに接続される第3のスイッチングトランジスタを含む請求項4に記載の画素回路。
【請求項６】
前記第1のスイッチングトランジスタと前記第3のスイッチングトランジスタはどちらもP型トランジスタであるか又はどちらもN型トランジスタである請求項5に記載の画素回路。
【請求項７】
前記発光モジュールは、
ゲートが前記第2の信号制御端に接続され、ソースが前記駆動モジュールの出力端に接続され、ドレインが前記発光素子の出力端及び前記第2のリファレンス信号端に接続される第4のスイッチングトランジスタと、
ゲートが前記発光信号制御端に接続され、ソースが前記第4のスイッチングトランジスタのソースに接続され、ドレインが前記発光素子の入力端に接続される第5のスイッチングトランジスタとをさらに含む請求項1〜6のいずれか一項に記載の画素回路。
【請求項８】
請求項1〜7のいずれか一項に記載の画素回路を含む有機エレクトロルミネセンス表示パネル。
【請求項９】
請求項8に記載の有機エレクトロルミネセンス表示パネルを含む表示装置。
【請求項１０】
第1のノード、第2のノード、第3のノード、第1のリファレンス信号端、第1の信号制御端及びスキャン信号端に接続される初期化モジュールと、
制御端が前記スキャン信号端に接続され、入力端がデータ信号端に接続され、出力端が前記第3のノードに接続される充電制御モジュールと、
制御端が前記第1のノードに接続され、入力端が前記第2のノードに接続される駆動モジュールと、
発光素子を備え、第1の制御端が第2の信号制御端に接続され、第2の制御端が発光信号制御端に接続され、入力端が前記駆動モジュールの出力端に接続され、出力端が第2のリファレンス信号端に接続される発光モジュールとを含む画素回路の駆動方法であって、
初期化段階において、前記初期化モジュールが前記スキャン信号端の制御によって前記第1のノードを初期化し、前記充電制御モジュールが前記スキャン信号端の制御によって前記第3のノードを初期化するステップと、
補償段階において、前記発光モジュールが前記第2の信号制御端の制御によって前記駆動モジュールの出力端と前記第2のリファレンス信号端とを導通し、前記初期化モジュールが前記第1の信号制御端及び前記スキャン信号端の制御によって前記第1のノードに前記駆動モジュールのしきい電圧補償を行うステップと、
データ書込み段階において、前記充電制御モジュールが前記スキャン信号端の制御によって、前記初期化モジュールにより前記第1のノードに対してデータ書込みを行うステップと
を含む画素回路の駆動方法。
【請求項１１】
発光段階において、前記初期化モジュールは、前記第1の信号制御端の制御によって前記第1のリファレンス信号端と前記駆動モジュールの入力端とを導通することにより、前記駆動モジュールに前記発光モジュールにおける発光素子の発光を駆動させるステップを更に含む請求項10に記載の方法。
【請求項１２】
前記駆動モジュールは、ゲートが前記第1のノードに接続され、ソースが前記第2のノードに接続され、ドレインが前記発光モジュールの入力端に接続される駆動トランジスタを含む請求項10に記載の方法。
【請求項１３】
前記初期化モジュールは、
ゲートが前記スキャン信号端に接続され、ソースが前記第1のリファレンス信号端に接続され、ドレインが前記第1のノードに接続される第1のスイッチングトランジスタと、
ゲートが前記第1の信号制御端に接続され、ソースが前記第1のリファレンス信号端に接続され、ドレインが前記第2のノードに接続される第2のスイッチングトランジスタと、
前記第1のノードと前記第3のノードとの間に接続される蓄積容量とを含む請求項12に記載の方法。
【請求項１４】
前記充電制御モジュールは、ゲートが前記スキャン信号端に接続され、ソースが前記データ信号端に接続され、ドレインが前記第3のノードに接続される第3のスイッチングトランジスタを含む請求項13に記載の方法。
【請求項１５】
前記第1のスイッチングトランジスタと前記第3のスイッチングトランジスタはどちらもP型トランジスタであるか又はどちらもN型トランジスタである請求項14に記載の方法。
【請求項１６】
前記発光モジュールは、
ゲートが前記第2の信号制御端に接続され、ソースが前記駆動モジュールの出力端に接続され、ドレインが前記発光素子の出力端及び前記第2のリファレンス信号端に接続される第4のスイッチングトランジスタと、
ゲートが前記発光信号制御端に接続され、ソースが前記第4のスイッチングトランジスタのソースに接続され、ドレインが前記発光素子の入力端に接続される第5のスイッチングトランジスタとをさらに含む請求項10〜15のいずれか一項に記載の方法。